(57)【要約】【課題】従来からある低周波交流電気治療器の出力信号において、より治療効果の高い信号パターンを得ることを目的とする。【解決の手段】従来は一つの交流信号列と一つの信号休止期間で構成される信号群の繰り返しからなる信号配列を使用していたが、患部一人一人に個人差があり、一つのパターンでは、患者に与える効果も十分ではない。そこで、交流信号列の波数ならびに信号休止期間の長さを変化させた複数の信号群を、順次配列した信号配列を基準信号パターンとして使用することである。そのことにより、より高い治療効果を得ることができる。【選択図】図１
2005074206.tif 000002
【特許請求の範囲】
【請求項１】
低周波交流電気信号を出力する交流信号出力手段を備えた低周波交流電気治療器において、該交流信号出力手段が出力する信号の配列が、
少なくとも１ヶ以上の波数の正方向出力信号ならびに該正方向出力信号の波数と同数かあるいは１ヶ少ない波数の負方向出力信号とから構成される交流信号列と、
該交流信号列に続いて、該正方向出力信号あるいは負方向出力信号の２ヶ以上の波数に相当する信号休止期間と、
が配置された信号群を、順次配列した信号配列において、
該信号配列は、該信号群の該交流信号列の波数と該信号休止期間の長さが、前記条件内で、それぞれ任意の波数と長さに設定された状態で構成された複数の信号群が、任意の順序に配列されたものであって、
該信号配列を基準信号パターンとした繰り返し信号からなることを特徴とする低周波交流電気治療器用信号、
ならびに該信号を人体表面に当てたプローブを通じて、体内に通電するように設定されたことを特徴とする低周波交流電気治療器。
【請求項２】
請求項１の低周波交流電気信号を出力する交流信号出力手段が出力する信号の配列が、少なくともｌヶ以上の波数の正方向出力信号ならびに該正方向出力信号の波数と同数かあるいは１ヶ少ない波数の負方向出力信号とから構成される交流信号列と、
該交流信号列に続いて、該正方向出力信号あるいは負方向出力信号の２ヶ以上の波数に相当する信号休止期間と、
が配置された信号群を、順次配列した信号配列において、
該信号配列は、該信号群の該交流信号列の波数と該信号休止期間の長さが、前記条件内で、それぞれ任意の波数と長さに設定された状態で構成された複数の信号群が、任意の順序に配列されたものであって、
かつ、該信号配列を構成する該信号群の数が、２ヶあるいは３ヶあるいは４ヶからなる信号配列を基準信号パターンとした繰り返し信号からなることを特徴とする低周波交流電気治療器用信号。
【請求項３】
請求項１、請求項２の低周波交流電気信号を出力する交流信号出力手段が出力する交流信号の波形が、正弦波あるいは矩形波を始めとする任意形状の交番波形であることを特徴とする低周波交流電気治療器用信号。
【請求項４】
請求項１、請求項２、請求項３の低周波交流電気信号を出力する交流信号出力手段が出力する交流信号の周波数の範囲が２５０Ｈｚ〜５０００Ｈｚであることを特徴とする低周波交流電気治療器用信号。
【発明の詳細な説明】
【技術分野】
【０００１】  本発明は設定サイクルの交流電流と零電位の設定休止期間からなる信号群の組み合わせに基づいて構成された信号配列を、プローブを通じて人体に通電することにより治療する低周波交流電気治療器用信号ならびに低周波交流電気治療器に関する。
【背景技術】
【０００２】  従来の低周波交流電気治療器としては、群波形を正電位波形の１ヶと負電位波形の１ヶとが連続して現れるのを最小とし、正電位波形の８ヶと負電位波形の７ヶとが連続して現れるのを最大とした範囲内の負電位波形の数が正電位波形の数と同数か、あるいは１ヶ少ない交流波形とし、さらに群波形間に半サイクル分の零電位となった休止時間を置いた形態のものがあった。（例えば、特許文献１参照）【０００３】  あるいは、予め定められた周波数の両極性の矩形波からなる電気パルスを、所定の間歇時間を介したパルス群の形で発生すると共に、パルスの継続時間と間歇時間を患者に応じて可変可能にしたものがあった。（例えば、特許文献２参照）【０００４】
【特許文献１】特公昭６０−２５１３８号  公報
【特許文献２】特開平１１−２１６１９３号  公報
【発明の開示】
【発明が解決しようとする課題】
【０００５】  以上に述べたごとく、従来の低周波交流電気治療器は特公昭６０−２５１３８号においては、低周波交流電気治療器の出力信号に正弦波の交流信号を使い、正の波数が負の波数と同じかあるいはｌヶ多い交流信号出力に続いて、前記波数の１ヶ分の休止期間を１セットとした群信号の繰り返し信号を採用することにより治験効果を得ていた。【０００６】  また、特開平１１−２１６１９３号によれば、低周波電気治療器の出力信号を両極性の矩形波からなる電気パルスとし、所定の数の電気パルス群による継続時間とそれに続く所定の数の電気パルス１サイクル分以上の間歇時間とからなるパルス群を採用すると共に、パルスの継続時間と間歇時間を患者に応じて可変可能にすることにより治験効果を得ようとしていた。【０００７】  しかしながら、前記方法ではそれなりの効果は得ていたが、必ずしも十分に満足の得られるものではなかった。それ故、本発明は、従来にもまして、より治療効果の高い信号パターンを得ることを目的とするものである。
【課題を解決するための手段】
【０００８】  特公昭６０−２５１３８号の発明者は、更により高い治療効果を得るための研究を続けた結果、本発明に至った。即ち、低周波交流電気治療器用の出力信号の配列を、従来の所定の交流信号または両極性のパルス信号と所定の信号休止期間からなる信号配列ではなく、交流信号または両極性のパルス信号の構成内容と長さを変化させた交流信号列と、さらに信号休止期間についても、その長さを変化させたものからなる複数の信号群を、順次配列した信号配列を基準パターンとした繰り返し信号とすることである。
【発明の効果】
【０００９】  本発明に係る低周波交流電気治療器の治療効果は感覚的な評価によるので、定性的、定量的評価はでき難いが、特公昭６０−２５１３８号公報では、治療効果を得るための治療回数が最低でも３回、一般的には５回以上を要しているのに対し、本発明の治療用信号を使用することにより、多くても４回、早いものでは１回で治療効果を得るという治験結果（次項に示す）を得た。【００１０】治験例を下記に示す。
▲１▼    女  ２９才  ギックリ腰  治療１回  消失（非常に良い）
▲２▼    男  ４１才  ギックリ腰  治療３回  消失（非常に良い）
▲３▼    男  ４７才  ギックリ腰  治療１回  消失（非常に良い）
▲４▼    女  ５７才  腰痛        治療２回  軽減（良い）
▲５▼    男  ６５才  腰痛        治療２回  なんとなく良い
▲６▼    女  ６３才  腰痛        治療１回  消失（非常に良い）
▲７▼    女  ７１才  膝関節症    治療４回  消失（非常に良い）
▲８▼    女  ６８才  膝関節症    治療１回  軽減（良い）
▲９▼    女  ６１才  膝関節症    治療１回  軽減（良い）
▲１０▼  女  ３３才  歯痛        治療１回  消失（非常に良い）【００１１】  前記治験例以外にも多数の症状（むち打ち症、五十肩、肩こり、不眠症、食欲不振などなど、その他多数）に対しても効果があることを確認しているが、何分にも評価方法が感覚的なものに依存しているので、具体的な治験例としては、比較的評価がわかりやすい、前記の痛みに関するものに限定した。【００１２】  このように、良好な治験結果を得ることが出来たのは、特公昭６０−２５１３８号では１種類の信号を使用しており、特開平１１−２１６１９３号では、治療効果は低周波信号を与えられる患者一人一人に個人差があり、決まった低周波信号を与える装置では十分な治療効果が得られ難いと考えて、その対策として、与える信号の周波数を患者に合わせて調整できるようにしているのに対して、本発明においては、与える信号そのものに、交流信号の波数や休止期間の長さを変化させたものを組み合わせて使用しているためと考えられる。【００１３】  以上に述べたように、従来の低周波交流電気治療器は、設定された交流信号列と設定された信号休止期間から構成された単一の信号群を、基準パターンとした繰り返し信号を治療用信号として使用していたので、その治療用信号が人体に与える影響も患者各人の症状には対応しきれていなかった。これに対して、本発明の低周波交流電気治療器の治療用信号は、交流信号列と信号休止期間が多岐にわたって変化する複数の信号群からなる信号配列を基準パターンとした繰り返し信号を使用しているので、その治療用信号が人体に与える影響も多岐にわたり、患者一人一人の個人差の問題も克服しているためと考えられる。
【発明を実施するための最良の形態】
【００１４】  本発明の低周波交流電気治療器の実施の形態は、図１のブロック図に示すものであり、ＡＣアダプタ２を介して、安全装置内蔵のＤＣ１２Ｖ定電圧電源３から交流信号出力手段１、即ち、発振部１０、波形発生部１１、波形合成部１２、電力増幅部１３ならびに出力部１４から構成されている。該出力部１４から出力される低周波交流電気治療器用信号は、該出力部１４に接続されたプローブ４を通じて人体に供給される。
尚、該低周波交流電気治療器用信号発生手段は、マイコンを使った公知の回路技術を用いれば、容易に実現可能であるので、その構成の詳細についての説明は省略する。【００１５】  以下に、本発明の低周波交流電気治療器用信号の実施例を具体的に説明する。
尚、詳細説明にあたっては図２に示す用語を用いる。
【実施例１】
【００１６】本発明の第１の実施例は、請求項２に述べた信号配列において、図３に示すごとく、低周波交流電気治療器用信号を出力する交流信号出力手段が出力する信号の配列が、少なくとも１ヶ以上の波数の正方向出力信号２５ならびに該正方向出力信号２５の波数と同数か、あるいは１ヶ少ない波数の負方向出力信号２６とから構成される交流信号列２１と、該交流信号列２１に続いて、該正方向出力信号２５あるいは負方向出力信号２６の２ヶ以上の波数に相当する信号休止期間２２が配置された信号群２３を順次配列した信号配列２４において、該信号配列２４は、該信号群２３の該交流信号列２１の波数と該信号休止期間２２の長さが、前記条件内で、それぞれ任意の波数と長さに設定された状態で構成された複数の信号群２３が、任意の順序に配列されたものであって、かつ、該信号配列２４を構成する該信号群２３の数が、２ヶで構成された信号配列２４ａからなる信号パターンの繰り返しとした信号の配列であって、かつ、該交流信号列２１を構成する波数が、正の波数が４ヶ、負の波数が３ヶからなる７ヶで、該交流信号列２１に続く信号休止期間２２の長さを波数の３ヶ分とし、続いて、交流信号列２１を構成する波数が、正の波数が４ヶ、負の波数が４ヶからなる８ヶで、該交流信号列２１に続く信号休止期間２２の長さを波数の２ヶ分とした、低周波交流電気治療器用信号である。
【実施例２】
【００１７】本発明の第２の実施例は、請求項２に述べた信号配列において、図４に示すごとく、低周波交流電気治療器用信号を出力する交流信号出力手段が出力する信号の配列が、少なくとも１ヶ以上の波数の正方向出力信号２５ならびに該正方向出力信号２５の波数と同数か、あるいは１ヶ少ない波数の負方向出力信号２６とから構成される交流信号列２１と、該交流信号列２１に続いて、該正方向出力信号２５あるいは負方向出力信号２６の２ヶ以上の波数に相当する信号休止期間２２が配置された信号群２３を順次配列した信号配列２４において、該信号配列２４は、該信号群２３の該交流信号列２１の波数と該信号休止期間２２の長さが、前記条件内で、それぞれ任意の波数と長さに設定された状態で構成された複数の信号群２３が、任意の順序に配列されたものであって、かつ、該信号配列２４を構成する該信号群２３の数が、３ヶで構成された信号配列２４ｂからなる信号パターンの繰り返しとした信号の配列であって、かつ、該交流信号列２１を構成する波数が、正の波数が３ヶ、負の波数が２ヶからなる５ヶで、該交流信号列２１に続く信号休止期間２２の長さを波数の３ヶ分とし、続いて、交流信号列２１を構成する波数が、正の波数が４ヶ、負の波数が３ヶからなる７ヶで、該交流信号列２１に続く信号休止期間２２の長さを波数の３ヶ分とし、続いて、交流信号列２１を構成する波数が、正の波数が３ヶ、負の波数が２ヶからなる５ヶで、該交流信号列２１に続く信号休止期間２２の長さを波数の５ヶ分とした、低周波交流電気治療器用信号である。
【実施例３】
【００１８】本発明の第３の実施例は、請求項２に述べた信号配列において、図５に示すごとく、低周波交流電気治療器用信号を出力する交流信号出力手段が出力する信号の配列を、少なくとも１ヶ以上の波数の正方向出力信号２５ならびに該正方向出力信号２５の波数と同数か、あるいは１ヶ少ない波数の負方向出力信号２６とから構成される交流信号列２１と、該交流信号列２１に続いて、該正方向出力信号２５あるいは負方向出力信号２６の２ヶ以上の波数に相当する信号休止期間２２が配置された信号群２３を順次配列した信号配列２４において、該信号配列２４は、該信号群２３の該交流信号列２１の波数と該信号休止期間２２の長さが、前記条件内で、それぞれ任意の波数と長さに設定された状態で構成された複数の信号群２３が、任意の順序に配列されたものであって、かつ、該信号配列２４を構成する該信号群２３の数が、３ヶで構成された信号配列２４ｃからなる信号パターンの繰り返しとした信号の配列であって、かつ、該交流信号列２１を構成する波数が、正の波数が３ヶ、負の波数が２ヶからなる５ヶで、該交流信号列２１に続く信号休止期間２２の長さを波数の５ヶ分とし、続いて、交流信号列２１を構成する波数が、正の波数が４ヶ、負の波数が３ヶからなる７ヶで、該交流信号列２１に続く信号休止期間２２の長さを波数の５ヶ分とし、続いて、交流信号列２１を構成する波数が、正の波数が３ヶ、負の波数が２ヶからなる５ヶで、該交流信号列２１に続く信号休止期間２２の長さを波数の９ヶ分とした、低周波交流電気治療器用信号である。
【実施例４】
【００１９】本発明の第４の実施例は、請求項２に述べた信号配列において、図６に示すごとく、低周波交流電気治療器用信号を出力する交流信号出力手段が出力する信号の配列を、少なくとも１ヶ以上の波数の正方向出力信号２５ならびに該正方向出力信号２５の波数と同数か、あるいは１ヶ少ない波数の負方向出力信号２６とから構成される交流信号列２１と、該交流信号列２１に続いて、該正方向出力信号２５あるいは負方向出力信号２６の２ヶ以上の波数に相当する信号休止期間２２が配置された信号群２３を順次配列した信号配列２４において、該信号配列２４は、該信号群２３の該交流信号列２１の波数と該信号休止期間２２の長さが、前記条件内で、それぞれ任意の波数と長さに設定された状態で構成された複数の信号群２３が、任意の順序に配列されたものであって、かつ、該信号配列２４を構成する該信号群２３の数が、４ヶで構成された信号配列２４ｄからなる信号パターンの繰り返しとした信号の配列であって、かつ、該交流信号列２１を構成する波数が、正の波数が２ヶ、負の波数が２ヶからなる４ヶで、該交流信号列２１に続く信号休止期間２２の長さを波数の２ヶ分とし、続いて、交流信号列２１を構成する波数が、正の波数が２ヶ、負の波数が１ヶからなる３ヶで、該交流信号列２１に続く信号休止期間２２の長さを波数の３ヶ分とし、続いて、交流信号列２１を構成する波数が、正の波数が１ヶ、負の波数が１ヶからなる２ヶで、該交流信号列２１に続く信号休止期間２２の長さを波数の２ヶ分とし、続いて、交流信号列２１を構成する波数が、正の波数が１ヶ、負の波数が０ヶからなる１ヶで、該交流信号列２１に続く信号休止期間２２の長さを波数の３ヶ分とした、低周波交流電気治療器用信号である。【００２０】  尚、実施例としては、上記に述べたような信号配列からなる信号パターンの繰り返し信号を例示したが、かならずしもこれに限定されるものではなく、請求項１あるいは請求項２の範囲の中に含まれる信号配列の中から、有効なものが他にも考えられる。【００２１】  また、上記実施例の説明の図面では、使用波形を正弦波で記載したが、本発明における交流信号の波形は、請求項３で述べた如く、正弦波に限るものではなく、矩形波、さらには任意形状の交番波形全般を含めたものでもよい。【００２２】  さらに、上記実施例で使用される交流信号の周波数は、請求項４で述べた如く２５０Ｈｚ〜５０００Ｈｚの範囲であれば問題ない。
【図面の簡単な説明】
【００２３】
【図１】本発明の低周波交流電気治療器のブロック図
【図２】信号配列構成の説明用の図
【図３】本発明の第１実施例の信号配列の波形図
【図４】本発明の第２実施例の信号配列の波形図
【図５】本発明の第３実施例の信号配列の波形図
【図６】本発明の第４実施例の信号配列の波形図
【符号の説明】
【００２４】１  交流信号出力手段
２  ＡＣアダプタ
３  安全装置付定電圧源
４  プローブ
１０  発振部
１１  波形発生部
１２  波形合成部
１３  電力増幅部
１４  出力部
２１  交流信号列
２２  信号休止期間
２３  信号群
２４  信号配列
２５  正方向出力信号
２６  負方向出力信号
【図１】
2005074206.tif 000003
【図２】
2005074206.tif 000004
【図３】
2005074206.tif 000005
【図４】
2005074206.tif 000006
【図５】
2005074206.tif 000007
【図６】
2005074206.tif 000008